(57)【要約】【課題】使用可能なキャリア周波数が異なる従属局が登録される制御局として動作し、最適なキャリア周波数の選択を行うこと。【解決手段】子機登録時には、第２のキャリア周波数群に属するキャリア周波数の選択を禁止し、第１のキャリア周波数群に属するキャリア周波数から制御信号のキャリア周波数を選択する。通常動作時には、登録済み子機の第２のキャリア周波数群に属するキャリア周波数の対応状況に応じて、第２のキャリア周波数群に属するキャリア周波数から制御信号のキャリア周波数の選択が可能か否かを判断する。【選択図】図３
2020065183.tif 000002
【特許請求の範囲】
【請求項１】
制御局と従属局で構成される無線通信システムにおいて、前記制御局として動作する無線通信装置であって、
少なくとも１つのキャリア周波数で構成された第１のキャリア周波数群、または、前記第１のキャリア周波数群に属するキャリア周波数を除く少なくとも１つのキャリア周波数で構成された第２のキャリア周波数群に属するキャリア周波数を用いて前記従属局と無線通信を行い、
通信に必要な情報を含む制御信号を報知し、
前記第１のキャリア周波数群に属するキャリア周波数を使用して前記従属局の登録受付け中であることを示す情報を含む前記制御信号を報知し、
無線通信によって前記従属局との情報を交換し、前記従属局の登録を行い、
前記従属局より前記第２のキャリア周波数群に属するキャリア周波数の使用が可能であることを通知されると、前記第１のキャリア周波数群、または、前記第２のキャリア周波数群に属するキャリア周波数を使用して前記通信に必要な情報を含む制御信号を報知する、
無線通信装置。
【請求項２】
前記登録された従属局の全てが、前記第２のキャリア周波数群に含まれるキャリア周波数の使用が可能であるとき、前記第１のキャリア周波数群、または、前記第２のキャリア周波数群に属するキャリア周波数を使用して前記通信に必要な情報を含む制御信号を報知し、
前記登録された従属局の少なくとも１つが、前記第２のキャリア周波数群に含まれるキャリア周波数の使用が可能でないとき、前記第１のキャリア周波数群に属するキャリア周波数を使用して前記通信に必要な情報を含む制御信号を報知する、
請求項１に記載の無線通信装置。
【請求項３】
前記従属局との通信で使用可能なキャリア周波数を示す情報を含む制御信号を報知し、
前記制御信号で報知されたキャリア周波数から前記従属局が選択したキャリア周波数を用いて前記従属局との無線通信を行い、
前記第１のキャリア周波数群、及び、前記第２のキャリア周波数群に属するキャリア周波数の全てのキャリア周波数が使用可能であることを示す情報を含む前記制御信号を報知する、
請求項１または２に記載の無線通信装置。
【発明の詳細な説明】
【技術分野】
【０００１】
本発明は、制御局と従属局が無線信号で通信を行う無線通信システムに用いられる無線通信装置に関する。
【背景技術】
【０００２】
近年、無線技術の発展がめざましく、時分割多重通信を用いたＤＥＣＴ（Digital Enhanced Cordless Telecommunications）（ＥＴＳＩ登録商標）方式の通信方式が提案され、全世界でＤＥＣＴ方式を使用した無線通信機器の普及が進んでいる。日本においても、ＤＥＣＴ方式の通信方式が認可され、その標準化（非特許文献１参照）が進められ、ＤＥＣＴ方式の時分割多重通信で動作するコードレス電話、ドアホンなどが商品化されている。
【０００３】
例えば、特許文献１では、ＤＥＣＴ方式と同様に登録済みの従属局が制御局の制御信号を受信しながら時分割多重通信を行う無線通信システムの技術が開示されている。
【先行技術文献】
【特許文献】
【０００４】
【特許文献１】特開２００７−０１３５３９号公報
【非特許文献】
【０００５】
【非特許文献１】時分割多元接続方式広帯域デジタルコードレス電話の無線局の無線設備  標準規格ＡＲＩＢ  ＳＴＤ−Ｔ１０１  ２．０版
【発明の概要】
【発明が解決しようとする課題】
【０００６】
無線通信のキャリア周波数は、地域（国）毎に法律や規格で決められている。日本では、当初、ＤＥＣＴ方式のキャリア周波数として、１８９５．６１６ＭＨｚ、１８９７．３４４ＭＨｚ、１８９９．０７２ＭＨｚ、１９００．８ＭＨｚ、１９０２．５２８ＭＨｚの５つのキャリア周波数が割り当てられ、ＤＥＣＴ方式の無線通信機器の普及に伴い、１９０４．２５６ＭＨｚのキャリア周波数が新たに割り当てられた。そして、非特許文献１に示されるよう、それぞれのキャリア周波数に対し、表１に示すキャリア番号が割り当てられた。
【表１】
2020065183.tif 000003
【０００７】
ところで、例えば、特許文献１の無線通信システムは、制御局から送信される制御信号を従属局が受信して、制御局と従属局の時分割多重通信の同期を取り、制御局と従属局の通信を行う。制御局は、無線通信方式に応じて割り当てられたキャリアの中から１つのキャリアを使用して制御信号を送信し、従属局は、無線通信方式に応じて割り当てられたキャリアを順次受信し、制御局より送信される制御信号をサーチし、制御局が使用しているキャリアを見つけ出し、制御局と通信を行う。
【０００８】
そのため、日本のＤＥＣＴ方式のように途中で使用可能なキャリアが追加された場合、追加されたキャリアを使用可能な制御局と追加されたキャリアでの通信ができない従属局とで構成される無線通信システムでは、キャリア周波数の選択を行う制御において改善の余地が残されていた。
【０００９】
本発明は、このような従来技術の改善を図るべく案出されたものであり、その主な目的は、使用可能なキャリア周波数が異なる従属局が登録される制御局として動作し、最適なキャリア周波数の選択を行う無線通信装置を提供することである。
【課題を解決するための手段】
【００１０】
本発明の一態様に係る無線通信装置は、制御局と従属局で構成される無線通信システムにおいて、前記制御局として動作する無線通信装置であって、少なくとも１つのキャリア周波数で構成された第１のキャリア周波数群、または、前記第１のキャリア周波数群に属するキャリア周波数を除く少なくとも１つのキャリア周波数で構成された第２のキャリア周波数群に属するキャリア周波数を用いて前記従属局と無線通信を行い、通信に必要な情報を含む制御信号を報知し、前記第１のキャリア周波数群に属するキャリア周波数を使用して前記従属局の登録受付け中であることを示す情報を含む前記制御信号を報知し、無線通信によって前記従属局との情報を交換し、前記従属局の登録を行い、前記従属局より前記第２のキャリア周波数群に属するキャリア周波数の使用が可能であることを通知されると、前記第１のキャリア周波数群、または、前記第２のキャリア周波数群に属するキャリア周波数を使用して前記通信に必要な情報を含む制御信号を報知する、構成とする。
【発明の効果】
【００１１】
本発明によれば、使用可能なキャリア周波数が異なる従属局が登録される制御局として動作し、最適なキャリア周波数の選択を行う無線通信装置を提供できる。
【図面の簡単な説明】
【００１２】
【図１】第１実施形態におけるコードレス電話の親機の構成例を示すブロック図
【図２】第１実施形態におけるコードレス電話の子機の構成例を示すブロック図
【図３】第１実施形態におけるコードレス電話の親機の動作例を示すフローチャート
【図４】第１実施形態におけるコードレス電話の親機の子機登録モード起動時の動作例を示すシーケンス図
【図５】第１実施形態におけるコードレス電話の親機及び子機の子機登録の動作例を示すシーケンス図
【図６】第１実施形態におけるコードレス電話の親機にキャリア番号９対応が通知された時の動作例を示すシーケンス図
【図７】第１実施形態におけるコードレス電話の親機にキャリア番号９に対応するキャリア周波数での通信が未対応の子機が登録された時の動作例を示すシーケンス図
【発明を実施するための形態】
【００１３】
前記課題を解決するためになされた第１の発明の無線通信装置は、制御局と従属局で構成される無線通信システムにおいて、前記制御局として動作する無線通信装置であって、少なくとも１つのキャリア周波数で構成された第１のキャリア周波数群、または、前記第１のキャリア周波数群に属するキャリア周波数を除く少なくとも１つのキャリア周波数で構成された第２のキャリア周波数群に属するキャリア周波数を用いて前記従属局と無線通信を行い、通信に必要な情報を含む制御信号を報知し、前記第１のキャリア周波数群に属するキャリア周波数を使用して前記従属局の登録受付け中であることを示す情報を含む前記制御信号を報知し、無線通信によって前記従属局との情報を交換し、前記従属局の登録を行い、前記従属局より前記第２のキャリア周波数群に属するキャリア周波数の使用が可能であることを通知されると、前記第１のキャリア周波数群、または、前記第２のキャリア周波数群に属するキャリア周波数を使用して前記通信に必要な情報を含む制御信号を報知する、構成とする。
【００１４】
これによれば、制御局として動作する本発明の無線通信装置は、従属局の登録受付け中は、第１のキャリア周波数群に属するキャリア周波数から選択されたキャリア周波数を用いて登録受付け中であることを示す情報を含む制御信号を報知するので、登録しようとする従属局が第２のキャリア周波数群に属するキャリア周波数での動作に対応しているか否かに関わらず、無線通信による従属局の登録が可能となる。また、登録された従属局より第２のキャリア周波数群に属するキャリア周波数の使用が可能であることを通知されると第１のキャリア周波数群、または、第２のキャリア周波数群に属するキャリア周波数を使用して通信に必要な情報を含む制御信号を報知するので、登録された従属局の能力（第２のキャリア周波数群に属するキャリア周波数での動作に対応しているか否か）に応じて、最適なキャリア周波数を選択して制御信号の送信等が可能となる。
【００１５】
前記課題を解決するためになされた第２の発明の前記無線通信装置は、前記登録された従属局の全てが、前記第２のキャリア周波数群に含まれるキャリア周波数の使用が可能であるとき、前記第１のキャリア周波数群、または、前記第２のキャリア周波数群に属するキャリア周波数を使用して前記通信に必要な情報を含む制御信号を報知し、前記登録された従属局の少なくとも１つが、前記第２のキャリア周波数群に含まれるキャリア周波数の使用が可能でないとき、前記第１のキャリア周波数群に属するキャリア周波数を使用して前記通信に必要な情報を含む制御信号を報知する、構成とする。
【００１６】
これによれば、複数の従属局が登録された場合であっても、登録された従属局の能力（第２のキャリア周波数群に属するキャリア周波数での動作に対応しているか否か）に応じて、最適なキャリア周波数を選択して制御信号の送信が可能となる。
【００１７】
前記課題を解決するためになされた第３の発明の無線通信装置は、前記従属局との通信で使用可能なキャリア周波数を示す情報を含む制御信号を報知し、前記制御信号で報知されたキャリア周波数から前記従属局が選択したキャリア周波数を用いて前記従属局との無線通信を行い、前記第１のキャリア周波数群、及び、前記第２のキャリア周波数群に属するキャリア周波数の全てのキャリア周波数が使用可能であることを示す情報を含む前記制御信号を報知する、構成とする。
【００１８】
これによると、第２のキャリア周波数群のキャリア周波数に属するキャリア周波数に対応できない従属局が登録された状態でも、第２のキャリア周波数群のキャリア周波数に属するキャリア周波数に対応した従属局との通信では、前記第１のキャリア周波数群、及び、前記第２のキャリア周波数群に属するキャリア周波数の全てのキャリア周波数から選択されたキャリア周波数を用いた通信が可能となり、最適なキャリア周波数を使用した通信が可能となる。
【００１９】
続いて、本発明の実施形態について、図面を参照して説明する。
【００２０】
先ず、第１実施形態における無線通信装置の制御局として動作するコードレス電話の親機１００の構成例について、図１を用いて説明する。
【００２１】
図１は、第１実施形態におけるコードレス電話の親機（無線通信装置）１００の構成例を示すブロック図である。
【００２２】
親機１００において、無線部１０１は、送信信号列を変調し無線信号として送信を行い、受信した無線信号を復調し、受信信号列を出力する。フレーム処理部１０２は、時分割多重通信のフレーム、スロットのタイミングにあわせてビット同期信号、シンクワード、送信データ、誤り検出符号からなる送信信号列を生成し、無線部１０１に出力し、無線部１０１より入力された受信信号列よりシンクワードに基づいて、受信データ、誤り検出符号を取り出し、出力する。子機情報記憶部１０３は、登録された従属局（後述するコードレス電話子機２００）毎に、子機識別情報と第２のキャリア周波数群に属するキャリア周波数の対応能力、すなわち、キャリア番号９のキャリア周波数を使用した通信に対応しているか否かの情報（以下、キャリア９対応情報と記す）を記憶する。なお、キャリア９対応情報として、キャリア番号９のキャリア周波数を使用した通信に対応している場合、“ｔｒｕｅ”が子機情報記憶部１０３に記憶され、キャリア番号９のキャリア周波数を使用した通信に対応していない場合、“ｆａｌｓｅ”が子機情報記憶部１０３に記憶される。表示部１０５は、子機登録モードが起動されたことの表示、回線からの着信時に発信元の電話番号の表示等を行う。報知部１０６は、子機登録モードが起動されたことや回線からの着信を音により報知する。操作部１０８は、子機登録モードの起動操作等の入力を行う。回線制御部１１０は、有線の電話回線網との間で通信を行う。制御部１２０は、親機１００の全体の制御を行う。制御部１２０は、制御用のソフトウェアが記憶されたメモリ（ＲＯＭ）、制御用の一時記憶用のメモリ（ＲＡＭ）、演算処理装置（ＣＰＵ）等で構成される。
【００２３】
以上で、第１実施形態におけるコードレス電話の親機１００の構成例についての説明を終了する。
【００２４】
次に、第１実施形態におけるコードレス電話の子機２００の構成例について、図２を用いて説明する。
【００２５】
図２は、第１実施形態におけるコードレス電話の子機２００の構成例を示すブロック図である。
【００２６】
子機２００において、無線部２０１は、送信信号列を変調し無線信号として送信を行い、受信した無線信号を復調し、受信信号列を出力する。フレーム処理部２０２は、時分割多重通信のフレーム、スロットのタイミングにあわせてビット同期信号、シンクワード、送信データ、誤り検出符号からなる送信信号列を生成し、無線部２０１に出力し、無線部２０１より入力された受信信号列よりシンクワードに基づいて、親機１００との時分割多重通信の同期を維持し、受信データ、誤り検出符号を取り出し、出力する。親機情報記憶部２０３は、登録した制御局（コードレス電話親機１００）の親機識別情報を記憶する。表示部２０５は、登録モードが起動されたことの表示、回線からの着信時に発信元の電話番号の表示、後述する操作部２０８で入力された発信先の電話番号等の表示を行う。報知部２０６は、子機登録モードが起動されたことや回線からの着信を音により報知する。操作部２０８は、子機登録モードの起動操作、発信時の電話番号の入力、着信応答操作等の入力を行う。制御部２２０は、子機２００の全体の制御を行う。制御部２２０は、制御用のソフトウェアが記憶されたメモリ（ＲＯＭ）、制御用の一時記憶用のメモリ（ＲＡＭ）、演算処理装置（ＣＰＵ）等で構成される。
【００２７】
なお、親機１００には、複数の子機が登録可能であるが、それぞれの子機のブロック構成は、上記と同様である。以上で第１実施形態におけるコードレス電話の子機２００の構成例についての説明を終了する。
【００２８】
次に、第１実施形態におけるコードレス電話の親機１００が、登録された子機２００の能力に応じてキャリア周波数の使用を制御する動作について説明を行う。なお、以下の説明では、親機１００と子機２００が先に述べた表１に示すキャリア周波数、キャリア番号を用いてＤＥＣＴ方式の無線通信を行う場合のキャリア周波数を制御する動作を例に説明を行う。また、表1に示すキャリア番号０、１、２，３，４の４つのキャリア周波数を本発明の第1のキャリア周波数群のキャリア、キャリア番号９のキャリア周波数を本発明の第２のキャリア周波数群のキャリアとした場合の動作を例に以下の説明を行う。
【００２９】
先ず、第１実施形態におけるコードレス電話の親機１００の動作について図３を用いて説明を行う。
【００３０】
図３は、第１実施形態におけるコードレス電話の親機１００の動作例を示すフローチャートである。
【００３１】
親機１００が起動されると、フローはステップ３０１に進む。
【００３２】
ステップ３０１において、親機１００の制御部１２０は、動作開始時、登録済みの全ての子機情報の読み込みを行う。すなわち、子機情報記憶部１０３より、登録された各々の子機２００のキャリア番号９の通信に対応しているか否かを示すキャリア９対応情報の読み込みを行う。そして、フローはステップ３０２に進む。
【００３３】
ステップ３０２において、制御部１２０は、第２のキャリア周波数群のキャリア周波数（キャリア番号９のキャリア周波数）を使用した通信が未対応の子機が登録されていないかを調べる。すなわち、子機情報記憶部１０３より読み込んだそれぞれの登録済み子機２００のキャリア９対応情報の値を確認する。登録済み子機２００のキャリア９対応情報が１つでもキャリア番号９のキャリア周波数を使用した通信が未対応であることを示す“ｆａｌｓｅ”であれば（ステップ３０２：Ｙｅｓ）、ステップ３０４に進み、登録済み子機２００のキャリア９対応情報に“ｆａｌｓｅ”が含まれていなければ（ステップ３０２：Ｎｏ）、フローはステップ３０３に進む。
【００３４】
ステップ３０３おいて、制御部１２０は、制御信号用のキャリア周波数に使用可能なキャリア周波数のキャリア番号を、第１キャリア周波数群、及び、第１キャリア周波数群に含まれる全てのキャリア周波数に対応した番号、すなわち、０、１、２、３、４、９の６つに設定する。そして、フローはステップ３０５に進む。
【００３５】
ステップ３０４おいて、制御部１２０は、制御信号用のキャリア周波数に使用可能なキャリア周波数のキャリア番号を、第１キャリア周波数群に含まれる全てのキャリア周波数に対応した番号、すなわち、０、１、２、３、４の５つに設定する。そして、フローはステップ３０５に進む。
【００３６】
ステップ３０５では、親機１００は、親機識別情報、通信用のキャリア番号（０、１、２、３、４、９）、動作モード（通常モード）等を報知する制御信号の送信を行いながら、子機からの位置登録や呼接続等の通信を待ち受ける通常モードの起動を行う。制御部１２０は、フレーム内の１つのスロットで制御信号の送信を行い（以下、制御信号を送信するスロットを制御スロットと呼ぶ）、制御スロット以外のスロット（以下、待ち受けスロットと呼ぶ）で、受信を行うように、無線部１０１、フレーム処理部１０２を制御する。このとき、制御信号は、ステップ３０３、または、ステップ３０４で設定されたキャリア番号の中から選択された１つのキャリア番号に対応したキャリア周波数で送信される。また、待ち受けスロットでは、フレーム毎にキャリア番号０、１、２、３、４、９のキャリア周波数の信号を受信するように、フレーム毎に受信周波数を切り替えながら、子機２００からの信号を持ちうけると共に妨害波のレベル検知を行う。また、ステップ３０５では、制御信号の干渉妨害を回避するための制御信号の移動の処理が行われる。制御部１２０は、定期的に制御信号の送信を停止し、制御スロットで、制御信号の送信に使用していたキャリア周波数での受信を行うように無線部１０１、フレーム処理部１０２を制御し、制御スロットにおける妨害波のレベルを検知する。そして、制御部１２０は、待ち受けスロットで検知した各キャリア周波数と各スロットの組合せにおける妨害波のレベルと制御スロットにおける妨害波のレベルを比較し、最も妨害波のレベルが低いステップ３０３、または、ステップ３０４で設定されたキャリア番号に対応する各キャリア周波数とスロットの組合せを選択して、選択したスロットで選択したキャリア周波数の制御信号の送信を再開するように、無線部１０１、フレーム処理部１０２を制御する。そして、フローはステップ３０６に進む。
【００３７】
ステップ３０６において、子機登録モードが起動されたか否かの判定を行う。制御部１２０は、操作部１０８で子機登録モードを起動する操作が行われたかを判断し、子機登録モードを起動する操作が行われた場合（ステップ３０６：Ｙｅｓ）、ステップ３１０に進み、子機登録モードを起動する操作が行われていなかった場合（ステップ３０６：Ｎｏ）、フローはステップ３２０に進む。
【００３８】
ステップ３１０おいて、制御部１２０は、制御信号用のキャリア周波数に使用可能なキャリア周波数のキャリア番号を、第１キャリア周波数群に含まれる全てのキャリア周波数に対応した番号、すなわち、０、１、２、３、４の５つに設定する。そして、フローはステップ３１１に進む。
【００３９】
ステップ３１１では、親機１００は、親機識別情報、通信用のキャリア番号（０、１、２、３、４）、動作モード（子機登録モード）等を報知する制御信号の送信を行いながら、子機からの子機登録要求を待ち受ける子機登録モードの起動を行う。制御部１２０は、ステップ３１０で設定されたキャリア番号に対応するキャリア周波数の中から選択されたキャリア周波数で制御信号の送信を行い、待ち受けスロットで子機２００からの子機登録要求の受信を行うように、無線部１０１、フレーム処理部１０２を制御する。すなわち、制御部１２０は、ステップ３０５の通常モードで動作中、第２のキャリア周波数群に属するキャリア周波数（キャリア番号９に対応するキャリア周波数）で制御信号の送信を行っていた場合、ステップ３１１に遷移後、待ち受けスロットで検知された各キャリア周波数と各スロットの組合せにおける妨害波のレベルを比較し、最も妨害波のレベルが低いステップ３１０で設定されたキャリア番号に対応する各キャリア周波数（第１のキャリア周波数群に属するキャリア周波数）とスロットの組合せを選択して、選択したスロットで選択したキャリア周波数の制御信号を送信するように、無線部１０１、フレーム処理部１０２を制御する。また、制御部１２０は、ステップ３１１に遷移すると、子機登録の制限タイマを起動し、表示部１０５で子機登録中であることを表示し、報知部１０６で子機登録中であることを報知するように制御を行う。そして、フローはステップ３１２に進む。なお、ステップ３０５の通常モードで動作中、第１のキャリア周波数群に属するキャリア周波数（キャリア番号０、１、２、３、４に対応するキャリア周波数）のいずれかを使用して制御信号の送信を行っていた場合、制御信号の送信スロット、キャリア周波数変更せず、動作モードで報知する内容のみを変更して制御信号の送信を行う。
【００４０】
ステップ３１２において、子機登録が完了したか否かの判定を行う。制御部１２０は、子機２００との子機登録のシーケンスが正しく完了したかを判断し、子機登録が完了していた場合（ステップ３１２：Ｙｅｓ）、ステップ３１４に進み、子機登録が完了していなかった場合（ステップ３１２：Ｎｏ）、フローはステップ３１３に進む。
【００４１】
ステップ３１３において、子機登録の制限タイマが満了したか否かの判定を行う。制御部１２０は、子機登録の制限タイマが満了したかを判断し、子機登録の制限タイマが満了していた場合（ステップ３１３：Ｙｅｓ）、ステップ３０１に進み、子機登録の制限タイマが満了していなかった場合（ステップ３１３：Ｎｏ）、フローはステップ３１２に進む。なお、子機登録の制限タイマが満了し（ステップ３１３：Ｙｅｓ）、フローがステップ３０１に進むと、上述のステップ３０１、ステップ３０２、ステップ３０３、ステップ３０４、ステップ３０５の説明と同様に登録済の子機情報が読み込まれ（ステップ３０１）、子機の能力が判定され（ステップ３０２）、子機の能力に応じて制御信号で使用可能なキャリア番号が設定され（ステップ３０３、または、ステップ３０４）、ステップ３０５に進み、通常モードでの動作に戻る。
【００４２】
ステップ３１４において、子機登録が完了すると、親機１００は子機登録が完了した子機の情報を記憶する。制御部１２０は、子機登録のシーケンスで子機２００に子機番号を割り当て、子機情報記憶部１０３の割り当てた子機番号に応じた子機識別情報の管理領域に子機登録のシーケンスで子機２００より通知された子機識別情報を書き込み、子機情報記憶部１０３の割り当てた子機番号に応じたキャリア９対応情報の管理領域にキャリア番号９のキャリア周波数を使用した通信が未対応を示す“ｆａｌｓｅ”を書き込む。そして、フローはステップ３０１に進む。そして、上述のステップ３０１、ステップ３０２、ステップ３０４、ステップ３０５の説明と同様に新たに登録された子機の登録情報を含んだ全ての登録済み子機の子機情報が読み込まれ（ステップ３０１）、子機の能力が判定され（ステップ３０２）、新たに登録された子機のキャリア９対応情報が“ｆａｌｓｅ”であることから、ステップ３０４に進み、制御信号で使用可能なキャリア周波数が第1のキャリア周波数群属するキャリア周波数のみに制限されたままステップ３０５に進み、通常モードでの動作に戻る。
【００４３】
ステップ３２０において、親機１００は、子機情報を受信したか否かの判定を行う。制御部１２０は、子機２００より第２のキャリア周波数に属するキャリア周波数の対応が可能か否か（キャリア番号９のキャリア周波数での通信が可能か否か）を通知する子機情報を受信したか否かを判定し、子機情報を受信していた場合（ステップ３２０：Ｙｅｓ）、ステップ３２１に進み、子機情報を受信していなかった場合（ステップ３２０：Ｎｏ）、フローはステップ３０６に進む。
【００４４】
ステップ３２１において、親機１００は、子機情報の更新を行う。制御部１２０は、子機２００より通知された子機識別符号と子機情報に基づいて、子機情報記憶部１０３の子機２００より通知された子機識別符号に対応したキャリア９対応情報の管理領域に子機２００より通知された子機情報を書き込む。すなわち、制御部１２０は、子機２００より、第２のキャリア周波数に属するキャリア周波数の対応が可能であることが通知されると、その子機のキャリア９対応情報の管理領域に“ｔｒｕｅ”を書き込み、第２のキャリア周波数に属するキャリア周波数の対応が不可であることが通知されると、その子機のキャリア９対応情報の管理領域に“ｆａｌｓｅ”を書き込む。なお、この第２のキャリア周波数に属するキャリア周波数の対応の可否は、例えば、ＤＥＣＴ方式の通信プロトコルでは、位置登録要求のメッセージ（ＬＯＣＡＴＥ−ＲＥＱＥＳＴ）でＩＷＵ間のメッセージを伝達する情報要素（ＩＷＵ−ＴＯ−ＩＷＵ）を用いて子機２００より、親機１００に通知される。そして、フローはステップ３０１に進む。子機情報が更新され、フローがステップ３０１に進むと、上述のステップ３０１、ステップ３０２、ステップ３０３、ステップ３０４、ステップ３０５の説明と同様に新たに更新された子機情報が読み込まれ（ステップ３０１）、子機の能力が判定され（ステップ３０２）、子機の能力に応じて制御信号で使用可能なキャリア番号が設定され（ステップ３０３、または、ステップ３０４）、ステップ３０５に進み、通常モードでの動作に戻る。
【００４５】
以上で第１実施形態におけるコードレス電話の親機１００の動作についての説明を終了する。
【００４６】
次に第１実施形態におけるコードレス電話の親機１００の子機登録動作のシーケンスの例について説明する。なお、以下の説明で使用する各シーケンス図では、そのメッセージの送信で使用可能な送信周波数に対応するキャリア番号を“送信キャリア：”に続く番号で記載している。また、各シーケンス図において、同じ動作におけるシーケンスは、同じ番号（シーケンス番号）を付している。
【００４７】
先ず、第１実施形態におけるコードレス電話の親機１００の子機登録モード起動時の動作例を示すシーケンスについて説明を行う。
【００４８】
図４は、第１実施形態におけるコードレス電話の親機１００の子機登録モード起動時の動作例を示すシーケンス図である。
【００４９】
図４のシーケンスは、親機１００が、通常モードで待機中の状態からの動作シーケンスを示している。また、親機１００に第２のキャリア周波数群に属するキャリア周波数（キャリア番号９のキャリア周波数）での通信に対応していない子機が登録されていない場合のシーケンスを示している。
【００５０】
図４に示すように、通常モードで動作中、親機１００は、第１のキャリア周波数群、及び、第２のキャリア周波数群に属するキャリア周波数の中から選ばれた１つのキャリアを選択して制御信号の送信を行っている。
【００５１】
通常モードの待機中、親機１００は、キャリア番号０、１、２、３、４、９の６つキャリア番号から選ばれたキャリア番号に対応するキャリア周波数を使用して、親機識別符号を通知する制御信号を送信し（シーケンス４０１）、０、１、２、３、４、９の６つキャリア番号に対応するキャリア周波数での通信が可能であることを通知する制御信号を送信し（シーケンス４０２）、通常モードで動作中であることを通知する制御信号を送信する（シーケンス４０３）。なお、親機識別符号、使用可能なキャリア周波数のキャリア番号、動作モードを通知する制御信号は、以降、通常モードが継続される間、繰り返し送信される（図示せず）。
【００５２】
通常モードの待機中に子機登録モード起動の操作が行われると（シーケンス４１０）、子機登録モードが起動され、親機１００は、第１のキャリア周波数群に属するキャリア周波数の中から選ばれた1つのキャリアを選択して制御信号の送信を行う。このとき、親機１００は、キャリア番号０、１、２、３、４の５つキャリア番号から選ばれたキャリア番号に対応するキャリア周波数を使用して、親機識別符号を通知する制御信号を送信し（シーケンス４１１）、０、１、２、３、４、９の６つキャリア番号に対応するキャリア周波数での通信が可能であることを通知する制御信号を送信し（シーケンス４１２）、子機登録モードで動作中であることを通知する制御信号を送信する（シーケンス４１３）。なお、親機識別符号、使用可能なキャリア周波数のキャリア番号、動作モードを通知する制御信号は、以降、子機登録モードが継続される間、繰り返し送信される（図示せず）。
【００５３】
以上で、第１実施形態におけるコードレス電話の親機１００の子機登録モード起動時の動作例を示すシーケンスについての説明を終了する。
【００５４】
次に、第１実施形態におけるコードレス電話の親機１００及び子機２００の子機登録の動作例を示すシーケンスについて説明を行う。
【００５５】
図５は、第１実施形態におけるコードレス電話の親機１００及び子機２００の子機登録の動作例を示すシーケンス図である。
【００５６】
図５のシーケンスは、親機１００が、子機登録モードが起動された状態から、子機２００が、未登録の状態からの動作シーケンスを示しており、上述の図４のシーケンスに続く動作例を示すシーケンスである。
【００５７】
図５に示すように、子機登録モードで動作中、親機１００は、キャリア番号０、１、２、３、４の５つキャリア番号から選ばれたキャリア番号に対応するキャリア周波数を使用して、親機識別符号を通知する制御信号を送信し（シーケンス４１１）、０、１、２、３、４、９の６つキャリア番号に対応するキャリア周波数での通信が可能であることを通知する制御信号を送信し（シーケンス４１２）、子機登録モードで動作中であることを通知する制御信号を送信している（シーケンス４１３）。
【００５８】
一方、子機２００は、子機登録モードが起動されると（シーケンス５００）、制御部２２０は、受信周波数を順次変えながら連続受信を行うように、無線部２０１、フレーム処理部２０２を制御する。このとき、第２のキャリア周波数群に属するキャリア周波数での通信が未対応の子機であれば、親機１００のサーチを行う受信周波数は、第１のキャリア周波数群に属するキャリア周波数の中から選択され、第２のキャリア周波数群に属するキャリア周波数での通信に対応した子機であれば、親機１００のサーチを行う受信周波数は、第１のキャリア周波数群、及び、第２のキャリア周波数群に属するキャリア周波数の中から選択される。親機１００は、第１のキャリア周波数群に属するキャリア周波数の中から選択したキャリア周波数で制御信号の送信を行うので、子機２００の第２のキャリア周波数群に属するキャリア周波数の対応の有無に関わらず、子機２００は、親機１００より送信される制御信号の受信が可能となる。
【００５９】
子機２００は、親機識別符号、使用可能キャリアを報知している制御信号を受信し、動作モードが子機登録モードであることを報知していることを受信すると、親機１００との時分割多重通信の同期を確立し、受信した使用可能キャリアで通知されたキャリア周波数の中から、自らが使用可能なキャリア周波数を選択して、親機１００との無線通信を行うための無線リンクを起動する。親機１００は、第１のキャリア周波数群、及び、第２のキャリア周波数群に属する全てのキャリア周波数を使用可能キャリアとして報知しているので、親機１００との無線通信を行うための無線信号のキャリア周波数は、第２のキャリア周波数群に属するキャリア周波数での通信が未対応の子機であれば、第１のキャリア周波数群に属するキャリア周波数の中から選択され、第２のキャリア周波数群に属するキャリア周波数での通信を対応した子機であれば、第１のキャリア周波数群、及び、第２のキャリア周波数群に属するキャリア周波数の中から選択される。そして、親機１００と子機２００の無線リンクの起動が完了すると、子機２００より、親機１００へ子機登録要求が送信される（シーケンス５０１）。
【００６０】
子機登録要求を受信すると、親機１００は、子機登録の認証シーケンスを起動し、子機番号の割り当てを行い、相互認証のための認証演算用乱数、認証演算結果等の送受信を行う（シーケンス５０２）。
【００６１】
子機登録認証シーケンスを正しく終了すると、子機登録を受け付けたことを通知する子機登録受付けのメッセージを、子機２００に送信し（シーケンス５０３）、子機登録のシーケンスで子機２００に割り当てた子機番号に対応した子機情報記憶部１０３の子機識別情報の管理領域に子機登録のシーケンスで子機２００より通知された子機識別情報を書き込み、子機情報記憶部１０３の割り当てた子機番号に応じたキャリア９対応情報の管理領域にキャリア９未対応を意味する“ｆａｌｓｅ”を書き込む。そして、親機１００は、子機２００との無線リンクを解放し、子機登録モードを終了する。一方、子機２００は、子機登録を受け付けたことを通知する子機登録受付のメッセージを受信すると、制御部２２０は、親機１００の親機識別情報を親機情報記憶部２０３に書き込み、無線リンクを解放し、親機１００の制御信号を受信するように無線部２０１、フレーム処理部２０２を制御する。
【００６２】
親機１００は、子機登録モードが終了すると、通常モードが起動され、登録された子機２００のキャリア９対応情報が“ｆａｌｓｅ”であるため、第１のキャリア周波数群に属するキャリア周波数の中から選ばれた1つのキャリアを選択して制御信号の送信を行う。親機１００は、キャリア番号０、１、２、３、４の５つキャリア番号から選ばれたキャリア番号に対応するキャリア周波数を使用して、親機識別符号を通知する制御信号を送信し（シーケンス５１１）、０、１、２、３、４、９の６つキャリア番号に対応するキャリア周波数での通信が可能であることを通知する制御信号を送信し（シーケンス５１２）、通常モードで動作中であることを通知する制御信号を送信する（シーケンス５１３）。なお、親機識別符号、使用可能なキャリア周波数のキャリア番号、動作モードを通知する制御信号は、以降、子機登録モードが継続される間、繰り返し送信される（図示せず）。
【００６３】
以上で第１実施形態におけるコードレス電話の親機１００及び子機２００の子機登録の動作例を示すシーケンスについての説明を終了する。
【００６４】
次に、第１実施形態におけるコードレス電話の親機１００に子機２００よりキャリア番号９対応が通知された時の動作例を示すシーケンスについて説明を行う。
【００６５】
図６は、第１実施形態におけるコードレス電話の親機１００にキャリア番号９対応が通知された時の動作例を示すシーケンス図である。なお、図６の子機２００は、第２のキャリア周波数群に属するキャリア周波数での通信を対応した子機である。
【００６６】
図６のシーケンスは、子機２００からの子機登録が完了した状態からの動作シーケンスを示しており、上述の図５のシーケンスに続く動作例を示すシーケンスである。
【００６７】
図６に示すように、子機登録が完了し通常モードに戻った親機１００は、キャリア番号０、１、２、３、４の５つキャリア番号から選ばれたキャリア番号に対応するキャリア周波数を使用して、親機識別符号を通知する制御信号を送信し（シーケンス５１１）、０、１、２、３、４、９の６つキャリア番号に対応するキャリア周波数での通信が可能であることを通知する制御信号を送信し（シーケンス５１２）、通常モードで動作中であることを通知する制御信号を送信している（シーケンス５１３）。
【００６８】
一方、子機２００は、子機登録モードが完了すると、位置登録を行うための無線リンクの起動を行う、受信した使用可能キャリアで通知されたキャリア周波数の中から、自らが使用可能なキャリア周波数を選択して、親機１００との無線通信を行うための無線リンクを起動する。親機１００は、第１のキャリア周波数群、及び、第２のキャリア周波数群に属する全てのキャリア周波数を使用可能キャリアとして報知しているので、第１のキャリア周波数群、及び、第２のキャリア周波数群に属するキャリア周波数の中から位置登録で使用する無線通信で使用するキャリア周波数が選択される。そして、親機１００と子機２００の無線リンクの起動が完了すると、子機２００より、親機１００へ位置登録要求が送信される（シーケンス６０１）。なお、第２のキャリア周波数群に属するキャリア周波数に対応した子機２００は、この位置登録要求メッセージで、第２のキャリア周波数群に属するキャリア周波数を使用した通信に対応していること（図６では、“キャリア９対応”と記す）を通知する。例えば、ＤＥＣＴ方式の通信プロトコルでは、位置登録要求のメッセージ（ＬＯＣＡＴＥ−ＲＥＱＥＳＴ）でＩＷＵ間のメッセージを伝達する情報要素（ＩＷＵ−ＴＯ−ＩＷＵ）を用いて第２のキャリア周波数群に属するキャリア周波数に対応していること（キャリア番号９のキャリア周波数での通信に対応していること）を通知する。
【００６９】
位置登録要求を受信すると、親機１００は、位置登録の認証シーケンスを起動し、認証のための認証演算用乱数、認証演算結果等の送受信を行い（シーケンス６０２）、登録済みの子機からの位置登録要求であることを確認する。
【００７０】
親機１００は、位置登録認証シーケンスが正しく終了すると、位置登録を受け付けたことを通知する位置登録受付けのメッセージを、子機２００に送信し（シーケンス６０３）、第２のキャリア周波数群に属するキャリア周波数を使用した通信に対応していることの通知に従い、位置登録シーケンスで受信した子機識別情報に基づいて、その子機に対応する子機情報記憶部１０３のキャリア９対応情報の管理領域に“ｔｒｕｅ”を書き込む。そして、親機１００は、子機２００との無線リンクを解放する。一方、子機２００は、位置登録を受け付けたことを通知する位置登録受付けのメッセージを受信すると、制御部２２０は、無線リンクを解放し、親機１００の制御信号を受信するように無線部２０１、フレーム処理部２０２を制御する。
【００７１】
親機１００は、子機情報記憶部１０３のキャリア９対応情報が更新されると、登録済みの子機に第２のキャリア周波数群のキャリア周波数（キャリア番号９のキャリア周波数）での通信が未対応の子機が含まれていないかを確認し、制御信号の送信に使用可能なキャリア周波数の設定を行う。図７の例では、第２のキャリア周波数群のキャリア周波数（キャリア番号９のキャリア周波数）での通信が未対応の子機が含まれず、第１のキャリア周波数群、及び、第２のキャリア周波数群に属するキャリア周波数の中から選ばれた1つのキャリアを選択して制御信号の送信を行うように設定される動作を示している。そして、親機１００は、キャリア番号０、１、２、３、４、９の６つキャリア番号から選ばれたキャリア番号に対応するキャリア周波数を使用して、親機識別符号を通知する制御信号を送信し（シーケンス６１１）、０、１、２、３、４、９の６つキャリア番号に対応するキャリア周波数での通信が可能であることを通知する制御信号を送信し（シーケンス６１２）、通常モードで動作中であることを通知する制御信号を送信する（シーケンス６１３）。なお、親機識別符号、使用可能なキャリア周波数のキャリア番号、動作モードを通知する制御信号は、以降、子機登録モードが継続される間、繰り返し送信される（図示せず）。
【００７２】
以上で第１実施形態におけるコードレス電話の親機１００に子機２００よりキャリア番号９対応が通知された時の動作例を示すシーケンスについての説明を終了する。
【００７３】
次に、第１実施形態におけるコードレス電話の親機１００にキャリア番号９に対応するキャリア周波数での通信が未対応の子機２００が登録されたときの動作例を示すシーケンスについて説明する。
【００７４】
図７は、第１実施形態におけるコードレス電話の親機１００にキャリア番号９に対応するキャリア周波数での通信が未対応の子機が登録された時の動作例を示すシーケンス図である。
【００７５】
図７のシーケンスは、キャリア番号９未対応の子機２００との子機登録が完了した状態からの動作シーケンスを示しており、上述の図５のシーケンスに続く動作例を示すシーケンスである。
【００７６】
図７に示すように、子機登録が完了し通常モードに戻った親機１００は、キャリア番号０、１、２、３、４の５つキャリア番号から選ばれたキャリア番号に対応するキャリア周波数を使用して、親機識別符号を通知する制御信号を送信し（シーケンス５１１）、０、１、２、３、４、９の６つキャリア番号に対応するキャリア周波数での通信が可能であることを通知する制御信号を送信し（シーケンス５１２）、通常モードで動作中であることを通知する制御信号を送信している（シーケンス５１３）。
【００７７】
一方、子機２００は、子機登録モードが完了すると、位置登録を行うための無線リンクの起動を行う。受信した使用可能キャリアで通知されたキャリア周波数の中から、自らが使用可能なキャリア周波数を選択して、親機１００との無線通信を行うための無線リンクを起動する。親機１００は、第１のキャリア周波数群、及び、第２のキャリア周波数群に属する全てのキャリア周波数を使用可能キャリアとして報知しているが、子機２００は、第２のキャリア周波数群に属するキャリア周波数を使用した通信に対応していないので、子機２００は、第１のキャリア周波数群に属するキャリア周波数の中から選択したキャリア周波数を使用して親機１００との無線リンクを起動する。そして、親機１００と子機２００の無線リンクの起動が完了すると、子機２００より、親機１００へ位置登録要求が送信される（シーケンス７０１）。なお、このとき、第２のキャリア周波数群に属するキャリア周波数の通信に未対応であること（キャリア番号９のキャリア周波数の通信に未対応であること）の通知は、行われない。
【００７８】
位置登録要求を受信すると、親機１００は、位置登録の認証シーケンスを起動し、認証のための認証演算用乱数、認証演算結果等の送受信を行い（シーケンス７０２）、登録済みの子機からの位置登録要求であることを確認すると、子機登録を受け付けたことを通知する子機登録受付けのメッセージを、子機２００に送信し（シーケンス７０３）、キャリア番号０、１、２、３、４の５つキャリア番号から選ばれたキャリア番号に対応するキャリア周波数を使用して、親機識別符号を通知する制御信号を送信し（シーケンス７１１）、０、１、２、３、４、９の６つキャリア番号に対応するキャリア周波数での通信が可能であることを通知する制御信号を送信し（シーケンス７１２）、通常モードで動作中であることを通知する制御信号を送信する（シーケンス７１３）。なお、親機識別符号、使用可能なキャリア周波数のキャリア番号、動作モードを通知する制御信号は、以降、子機登録モードが継続される間、繰り返し送信される（図示せず）。
【００７９】
また、子機２００は、位置登録を受け付けたことを通知する位置登録受付けのメッセージを受信すると、制御部２２０は、無線リンクを解放し、親機１００の制御信号を受信するように無線部２０１、フレーム処理部２０２を制御する。
【００８０】
なお、キャリア番号９に対応するキャリア周波数を用いた通信が未対応の子機２００が登録されたときの動作例として、子機２００がキャリア番号９のキャリア周波数の通信に対応していること（第２のキャリア周波数群に属するキャリア周波数での通信に対応していること）を通知しないようにして、親機１００が制御信号のキャリア周波数としてキャリア番号９のキャリア周波数（第２のキャリア周波数群に属するキャリア周波数）を使用しないようにする動作を示したが、子機２００がキャリア番号９のキャリア周波数の通信に対応していないこと（第２のキャリア周波数群に属するキャリア周波数での通信に対応していないこと）を親機１００に通知して親機１００が制御信号のキャリア周波数としてキャリア番号９のキャリア周波数（第２のキャリア周波数群に属するキャリア周波数）を使用しないようにしてもよい。この場合、親機１００は、子機２００より、子機２００がキャリア番号９のキャリア周波数の通信に対応していないこと（第２のキャリア周波数群に属するキャリア周波数での通信に対応していないこと）が通知されると、その子機に対応する子機情報記憶部１０３のキャリア９対応情報の管理領域に“ｆａｌｓｅ”を書き込み、登録済みの子機のキャリア９対応情報を確認し、“ｆａｌｓｅ”を含むことから、第１のキャリア周波数群に属するキャリア周波数の中から制御信号のキャリア周波数を選択するように動作する。
【００８１】
以上で第１実施形態におけるコードレス電話の親機１００にキャリア番号９に対応するキャリア周波数を用いた通信が未対応の子機２００が登録されたときの動作例を示すシーケンスについての説明を終了する。
【００８２】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。例えば、本実施の形態では、本発明の無線通信装置を家庭用のコードレス電話に組み込んだ例を示したが、本発明の無線通信装置は、センサやカメラが接続されたホームオートメーションネットワークへの組み込みも可能である。また、上記実施形態に示した構成要素は必ずしも全てが必須なものではなく、本発明の趣旨を逸脱しない限りにおいて適宜取捨選択することが可能である。
【産業上の利用可能性】
【００８３】
本発明に係る無線通信装置は、複数のキャリア周波数から１つのキャリア周波数を選択して無線通信を行うコードレス電話のような通信機器の無線通信装置として有用である。
【符号の説明】
【００８４】
１００  親機
１０１  無線部
１０２  フレーム処理部
１０３  子機情報記憶部
１０５  表示部
１０６  報知部
１０８  操作部
１１０  回線制御部
１２０  制御部
２００  子機
２０１  無線部
２０２  フレーム処理部
２０３  親機情報記憶部
２０５  表示部
２０６  報知部
２０８  操作部
２２０  制御部
【図１】
2020065183.tif 000004
【図２】
2020065183.tif 000005
【図３】
2020065183.tif 000006
【図４】
2020065183.tif 000007
【図５】
2020065183.tif 000008
【図６】
2020065183.tif 000009
【図７】
2020065183.tif 000010